(57)【要約】【課題】取付具が変形せず、施工性が良い。【解決手段】略板状の外装材２８ａ、２８ｂ…を順次壁の垂直方向に連結し固定するための取付具１であって、板状の本体３と、この本体の一面５に突出する第１係止片１６および第２係止片２２とを備え、これら第１係止片１６および第２係止片２２は外装材の端部３０に係止することによりこの外装材２８ａ、２８ｂを支える。本体３は、これを固定するための釘用孔７および木ねじ用孔８と、本体の一面５側に張り出す横リブ１０、縦リブ１２および縦リブ１４とを有し、これらリブは少なくとも釘用孔７および木ねじ用孔８の三方を囲い、これら孔の三方を囲うリブのうち中央に位置する横リブ１０は釘用孔７および木ねじ用孔８と第１係止片１６および第２係止片２２との間に位置する。【選択図】        図１
2004332388.tif 000002
【特許請求の範囲】
【請求項１】
略板状の壁材を順次壁の垂直方向に連結し固定するための取付具であって、板状の本体と、該本体の一面に突出する係止片とを備え、該係止片は前記壁材の端部に係止することにより該壁材を支え、前記本体は該本体を固定するための孔と、該本体の前記一面側に張り出すリブとを有し、該リブは少なくとも前記孔の三方を囲い、該孔の三方を囲うリブのうち中央に位置するリブは前記孔と前記係止片との間に位置してなる壁材の取付具。
【発明の詳細な説明】
【０００１】
【発明の属する技術分野】
本発明は、壁材の取付具に係り、特に主として無機質材料より形成される外装材の取付具に関するものである。
【０００２】
【従来の技術】
従来の壁材の取付具としては、たとえば外壁面に釘などの固定具で固定するための貫通孔を有するとともに、外壁面に当接する取付面と、この取付面の下端部から取付面に対して略垂直に折り曲げて形成される水平面と、この水平面の先端から上方および下方に向けて折り曲げて形成される上向面および下向面とを有し、取付面には水平方向に延長する一または二以上の横リブが取付面の表面に向けて突出するように形成されるものが知られている（特許文献１）。
【０００３】
【特許文献１】
特開平７−１７３９１７号公報（第３頁、図１）
【０００４】
【発明が解決しようとする課題】
上記のように、従来の壁材の取付具は、その取付面の水平方向に延長する一または二以上の横リブが設けられるものであるから、取付面に設けられる貫通孔を介して釘などで取付具を固定すると、水平方向の反りは防止される。しかし、垂直方向には縦リブがないので、釘などを強く打ち込んだ場合には垂直方向の反りが発生するおそれがある。垂直方向の反りが発生すると、水平面、上向面および下向面の取付角度が釘を打ち付ける前の状態と変わり、各面が規定の方向に向かないので、壁材の端部が水平面、上向面および下向面に適合せず、壁材の取り付けが困難となる、あるいは壁材の取り付けの施工性が悪くなるおそれがある。
【０００５】
本発明は、取付具が変形せず、施工性が良いことを課題とする。
【０００６】
【課題を解決するための手段】
上記課題を解決するため、本発明は、略板状の壁材を順次壁の垂直方向に連結し固定するための取付具であって、板状の本体と、この本体の一面に突出する係止片とを備え、さらに、係止片は壁材の端部に係止することによりこの壁材を支える。そして、本体はこの本体を固定するための孔と、この本体の一面側に張り出すリブとを有し、リブは少なくとも孔の三方を囲い、この孔の三方を囲うリブのうち中央に位置するリブは孔と係止片との間に位置してなることを特徴とする。
【０００７】
このようにすることにより、本体に設けられる孔を利用して釘、木ねじなどの固定手段で壁下地材や躯体などに固定するとき、板状の本体は、固定手段の頭により壁下地材や躯体などに押し付けられる。このとき、リブは少なくとも孔の三方を囲い、孔の三方の剛性は強化される。
【０００８】
さらに、中央に位置するリブは孔と係止片との間に位置するので、孔の部分が壁下地材や躯体などに押し付けられ、孔の周りが局部的に多少変形したとしても、その変形がリブの外側にまで及んで反りを発生させることがほとんどなく変形は防止される。係止片には不都合な変形や位置ずれなどが発生しないので、壁材の端部は設計通りに取付具の係止片に適合し、壁材は係止片で固定される。
【０００９】
次に本発明を構成する各要件についてさらに詳しく説明する。本発明の取付具は、外装材や内装材などの略板状の壁材、特に無機質材料より形成される外装材に好適に使用できるものである。取付具の材質は本体、係止片を含め、鉄、アルミニウム合金などの金属や硬質合成樹脂などで形成される。材質が金属の場合は、防食用のめっき、酸化皮膜、塗装などの表面処理を適宜施したものが使用される。
【００１０】
本体は、板状で正面形状は特に限定されないが、たとえば矩形状、異形矩形状、Ｔ字状またはＨ字状などである。本体の一面側には係止片が設けられるが、他面側は壁下地材や躯体の面に固定可能なように形成され、平坦に形成されることが好ましい。こうすると釘やねじなどの固定手段で押え付けたときに本体の変形が防止される。
【００１１】
本体に設けられる孔の位置、大きさ、数などは特に限定されないが、たとえば所定の間隔をあけて三つの孔を設けても良い。こうすると三つの孔のどれか一つが取付具の裏に位置する下地材や躯体の位置に合致しやすくなるので、取付具の固定が容易になる。さらに、孔の種類を釘用と木ねじ用など固定手段ごとに設けておいても良い。この場合、釘用と木ねじ用の孔を上下方向に並べた一対とし、これを三対合計六つの孔を設けても良い。
【００１２】
本体に設けるリブは、少なくとも孔の三方を囲い、孔の三方を囲うリブのうち中央に位置するリブは孔と係止片との間に位置するものであれば、その形状、数は限定されない。孔の三方を囲うリブは、互いに連続しても良いし、互いに独立した三つのリブで孔の三方を囲っても良い。一つまたは複数の孔は三方のリブによって囲まれ、リブの内側に位置する。孔の両側に位置するリブと、これに挟まれた位置のリブとは互いに９０度の角度（直角関係）を有すると良い。リブの断面形状は半円状、半楕円状、線分と曲線とを組み合わせた形状など、本体板材の加工性と加工されるリブの剛性などを考慮して適宜の形状が採用される。
【００１３】
係止片は、壁材の端部に係止するものであれば、その形状は特に限定されないが、たとえば鉤形の形状、すなわち本体から突出する水平片部と、この水平片部の先端から下方または上方に延在する下向き片部または上向き片部とを有するものでも良い。
【００１４】
【発明の実施の形態】
以下、本発明に係る壁材の取付具の実施形態を図面に基づいて詳細に説明する。なお、図１〜８において、同一または同等部分には同一符号を付けて示す。
【００１５】
図８は、本実施形態の取付具１の使用状態を示す断面図である。取付具１は、略板状の外装材（壁材）２８ａ、２８ｂ…を順次壁の垂直方向に連結し固定するもので、壁下地材または躯体３９に対して釘または木ねじ（固定手段）３７により固定される。外装材２８ａ、２８ｂは、セメント系の無機質材料より形成されている。取付具１は、その下部に設けられる第１係止片（係止片）１６および第２係止片（係止片）２２が外装材の端部３０に係止することにより外装材２８ａ、２８ｂを支える。
【００１６】
図１は、本発明に係る取付具の一実施形態を示す斜視図である。図２は、図１に示した取付具の正面図である。図３は、図２における右側面図である。図４は、図２における平面図である。図１に示すように、取付具１は、板状の本体３と、この本体３の一面５に突出する第１係止片（係止片）１６および第２係止片（係止片）２２とを備える。取付具１の材質は本体３、第１係止片１６および第２係止片２２を含め、防食用のめっきが施された鉄である。
【００１７】
本体３は、板状で、正面形状はその中央部分に垂下片６が形成される異形Ｔ字状である。垂下片６の両外側には第１係止片１６および第２係止片２２が位置するが、第１係止片１６と第２係止片２２は、それぞれ本体３の左右下部に１対づつ設けられる。他面（裏面または背面）側は壁下地材または躯体の表面に密着するように平坦に形成される。さらに、本体３は、これを固定するための釘用孔（孔）７および木ねじ用孔（孔）８を有する。釘用孔（孔）７と木ねじ用孔（孔）８は、上下方向に一つずつ並び、左右方向には一列に所定間隔で並ぶ。したがって、各釘用孔（孔）７の下方にはそれぞれ木ねじ用孔（孔）８が位置する。
【００１８】
さらに、本体３は、この一面５側の左右方向に張り出す横リブ（リブ）１０、上下方向に張り出す縦リブ（リブ）１２および縦リブ（リブ）１４を有する。横リブ１０と縦リブ１４は、三つの釘用孔７および三つの木ねじ用孔８の三方を囲う。中央に位置する横リブ１０は、釘用孔７および木ねじ用孔８と第１係止片１６および第２係止片２２との間に位置する。孔の両側に位置する縦リブ１４と、これに挟まれた位置の横リブ１０とは互いに９０度の位置関係を有する。
【００１９】
縦リブ１２は、横リブ１０から連続して下方に延在し、横リブ１０に対して９０度の位置関係を有する。さらに、縦リブ１２は、垂下片６の両側端全長に渡り形成され、所定の間隔を保って平行に設けられる。また、縦リブ１２は二つの第１係止片１６（および二つの第２係止片２２）の間に位置する。
【００２０】
図５は、図２におけるＡ−Ａ線断面図、図６は、図２におけるＢ−Ｂ線断面図、図７は、図２におけるＣ−Ｃ線断面図、をそれぞれ示す。横リブ１０、縦リブ１２、１４の断面形状は特に限定されないが、本実施形態においては、図５に示すように、横リブ１０の断面形状は略半楕円状、図６、７に示すように、縦リブ１２および縦リブ１４は略半円弧状である。各リブの幅や高さは本体の材質、板厚と必要な剛性を考慮して適宜の寸法とする。
【００２１】
図１に示すように、第１係止片１６は、鉤形の形状で、本体３の中央寄り下部から突出する水平片部１８と、この水平片部１８の先端から下方に延在する下向き片部２０とを有する。同様に、第２係止片２２についても鉤形の形状をしており、本体３の右下部または左下部から突出する水平片部２４と、この水平片部２４の先端から上方に延在する上向き片部２６とを有する。
【００２２】
図８に示すように、取付具１は壁下地材または躯体３９に対して釘３７で固定される。取付具の第１係止片１６および第２係止片２２は、外装材２８ａの上端と外装材２８ｂの下端とが突合せられた状態で形成される溝３１内に位置し、第１係止片１６は外装材２８ａを係止し、第２係止片２２は、外装材２８ｂを係止する。
【００２３】
以上の構造を有する取付具１の作用について、図１、８を使用して説明する。図８に示すように、板状の本体３は、これに設けられる孔、たとえば釘用孔７を介して釘３７により壁下地材や躯体３９に打ち付けられる。このとき、板状の本体３は、釘３７の頭により壁下地材や躯体３９に押し付けられて固定される。
【００２４】
図１に示すように、横リブ１０と縦リブ１４は釘用孔７の両側および下側の三方を囲うので、少なくとも釘用孔７の外側の三方の剛性は強化されている。さらに、中央に位置する横リブ１０は釘用孔７と第１係止片１６および第２係止片２２との間に位置するので、釘用孔７の部分が壁下地材や躯体３９などに押し付けられ、本体の釘用孔７の周りが局部的に変形したとしても、その変形が横リブ１０の外側にまで及んで反りを発生させることがほとんどない。
【００２５】
横リブ１０の外側に反りを発生させないので、第１係止片１６および第２係止片２２側の形状や向きにほとんど影響がなく、第１係止片１６および第２係止片２２は釘で固定される前と同じ状態に維持され、不都合な変形や位置ずれなどがないので、壁材を取付具の第１係止片１６および第２係止片２２で支えて固定することができる。
【００２６】
さらに、図８に示すように、本体３の他面側（裏側）は平坦に形成され、壁下地材や躯体３９に密着するように形成されることにより、本体３が釘（固定手段）で押え付けられたときに本体３の変形が防止される。そして、所定の間隔をあけて三つの釘用孔７が設けられることにより、三つの孔の一つが取付具１の裏側に位置する下地材や躯体３９の位置に合致するので、取付具１の固定が容易になる。
【００２７】
また、本体３は横リブ１０から下方に延在する縦リブ１２を有することにより、垂下片６の剛性が強化され、垂下片６が壁下地材または躯体３９に密着するとともに、第１係止片の下向き片部２０と垂下片６の間隔または位置関係を一定に維持する。さらに、本体３が縦リブ１２を有することにより、外装材（壁材）２８ａの上端部３０ａに取付具１を取り付けやすくし、施工性を良くする。そして、取付具１を取り付け後も外装材２８ａが壁下地材または躯体３９に対して一定の距離を保つ。
【００２８】
上記取付具１の作用の説明においては、本体３を釘で固定する場合であったが、本体３を木ねじで固定する場合の作用についても、釘を使用した場合の作用と同様であるので、その説明を省略する。
【００２９】
【発明の効果】
本発明によれば、取付具を壁下地材や躯体に取り付けたときに取付具がほとんど変形しないので壁材の取り付け施工性が良い。
【図面の簡単な説明】
【図１】本発明に係る壁材の取付具の一実施形態を示す斜視図である。
【図２】図１に示した取付具の正面図である。
【図３】図２における右側面図である。
【図４】図２における平面図である。
【図５】図２におけるＡ−Ａ線断面図である。
【図６】図２におけるＢ−Ｂ線断面図である。
【図７】図２におけるＣ−Ｃ線断面図である。
【図８】図１〜７に示した取付具の使用状態を示す断面図である。
【符号の説明】
１  取付具
３  本体
５  一面
７  釘用孔（孔）
８  木ねじ用孔（孔）
１０  横リブ（リブ）
１２  縦リブ（リブ）
１４  縦リブ（リブ）
１６  第１係止片（係止片）
１８  水平片部
２０  下向き片部
２２  第２係止片（係止片）
２４  水平片部
２６  上向き片部
２８ａ、２８ｂ  外装材（壁材）
３０  端部
３５  垂直方向
３７  釘または木ねじ（固定手段）
３９  壁下地材または躯体
【図１】
2004332388.tif 000003
【図２】
2004332388.tif 000004
【図３】
2004332388.tif 000005
【図４】
2004332388.tif 000006
【図５】
2004332388.tif 000007
【図６】
2004332388.tif 000008
【図７】
2004332388.tif 000009
【図８】
2004332388.tif 000010